【手続補正書】
【提出日】平成25年9月12日(2013.9.12)
【手続補正１】
【補正対象書類名】明細書
【補正対象項目名】０００７
【補正方法】変更
【補正の内容】
【０００７】
請求項１記載の発明は、投影装置であって、画像信号を入力する入力手段と、発光輝度を可変可能な光源と、上記光源からの光を用い、画像信号に応じた光像を形成して投影する投影手段と、上記入力手段で入力した画像信号を記憶する記憶手段と、上記入力手段で入力した画像信号と、上記記憶手段で既に記憶している画像信号とを比較して両画像信号の一致または不一致を判定する比較手段と、上記比較手段により両画像信号の一致を判定した状態を計時する計時手段と、上記計時手段での計時結果が予め設定した時間値を超えたか否かを判断する判断手段と、上記判断手段での判断により上記光源の発光輝度を低下するように可変設定する投影制御手段とを具備したことを特徴とする。
【手続補正２】
【補正対象書類名】明細書
【補正対象項目名】０００８
【補正方法】変更
【補正の内容】
【０００８】
請求項２記載の発明は、上記請求項１記載の発明において、メニュー画面の画像信号を記憶したメニュー記憶手段と、上記入力手段で入力した画像信号に代えて、上記メニュー記憶手段で記憶したメニュー画面の投影を指示する指示手段とをさらに具備し、上記投影制御手段は、上記指示手段での指示に応じて上記投影手段がメニュー画面の画像信号に応じた光像を形成して投影する間、上記光源の発光輝度を低下するように可変設定することを特徴とする。
請求項３記載の発明は、上記請求項１または２記載の発明において、投影動作に関する操作を受け付ける操作手段をさらに具備し、上記計時手段は、上記操作手段での操作を受け付けた時点で計時結果をリセットすることを特徴とする。
【手続補正３】
【補正対象書類名】明細書
【補正対象項目名】０００９
【補正方法】変更
【補正の内容】
【０００９】
請求項４記載の発明は、上記請求項１〜３いずれか記載の発明において、上記比較手段は、上記入力手段で入力した画像信号と、上記記憶手段で記憶している画像信号の類似度を算出し、算出した類似度が予め設定したしきい値を超えているか否かにより両画像信号の一致または不一致を判定することを特徴とする。
【手続補正４】
【補正対象書類名】明細書
【補正対象項目名】００１０
【補正方法】変更
【補正の内容】
【００１０】
請求項５記載の発明は、上記請求項１〜４いずれか記載の発明において、上記投影手段は、上記比較手段により両画像信号の一致が判定された場合、上記入力手段で入力した画像信号に代えて、上記記憶手段で記憶している画像信号に応じた光像を形成して投影することを特徴とする。
【手続補正５】
【補正対象書類名】明細書
【補正対象項目名】００１１
【補正方法】変更
【補正の内容】
【００１１】
請求項６記載の発明は、上記請求項１〜５いずれか記載の発明において、上記判断手段は、上記計時手段での計時結果が予め設定した複数の時間値をそれぞれ超えたか否かを判断し、上記投影制御手段は、上記判断手段での判断により、時間の経過に対応して上記光源の発光輝度を段階的に低下するように可変設定することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項７記載の発明は、投影方法であって、画像信号を入力する入力部、発光輝度を可変可能な光源、及び上記光源からの光を用い、画像信号に応じた光像を形成して投影する投影部を備えた装置での投影方法であって、上記入力部で入力した画像信号を記憶する記憶ステップと、上記入力部で入力した画像信号と、上記記憶ステップで既に記憶した画像信号とを比較して両画像信号の一致または不一致を判定する比較ステップと、上記比較ステップにより両画像信号の一致を判定した状態を計時する計時ステップと、上記計時ステップでの計時結果が予め設定した時間値を超えたか否かを判断する判断ステップと、上記判断ステップでの判断により上記光源の発光輝度を低下するように可変設定する投影制御ステップとを有したことを特徴とする。
【手続補正８】
【補正対象書類名】特許請求の範囲
【補正対象項目名】全文
【補正方法】変更
【補正の内容】
【特許請求の範囲】
【請求項１】
画像信号を入力する入力手段と、
発光輝度を可変可能な光源と、
上記光源からの光を用い、画像信号に応じた光像を形成して投影する投影手段と、
上記入力手段で入力した画像信号を記憶する記憶手段と、
上記入力手段で入力した画像信号と、上記記憶手段で既に記憶している画像信号とを比較して両画像信号の一致または不一致を判定する比較手段と、
上記比較手段により両画像信号の一致を判定した状態を計時する計時手段と、
上記計時手段での計時結果が予め設定した時間値を超えたか否かを判断する判断手段と、
上記判断手段での判断により上記光源の発光輝度を低下するように可変設定する投影制御手段と
を具備したことを特徴とする投影装置。
【請求項２】
メニュー画面の画像信号を記憶したメニュー記憶手段と、
上記入力手段で入力した画像信号に代えて、上記メニュー記憶手段で記憶したメニュー画面の投影を指示する指示手段と
をさらに具備し、
上記投影制御手段は、上記指示手段での指示に応じて上記投影手段がメニュー画面の画像信号に応じた光像を形成して投影する間、上記光源の発光輝度を低下するように可変設定する
ことを特徴とする請求項１記載の投影装置。
【請求項３】
投影動作に関する操作を受け付ける操作手段をさらに具備し、
上記計時手段は、上記操作手段での操作を受け付けた時点で計時結果をリセットすることを特徴とする請求項１または２記載の投影装置。
【請求項４】
上記比較手段は、上記入力手段で入力した画像信号と、上記記憶手段で記憶している画像信号の類似度を算出し、算出した類似度が予め設定したしきい値を超えているか否かにより両画像信号の一致または不一致を判定することを特徴とする請求項１〜３いずれか記載の投影装置。
【請求項５】
上記投影手段は、上記比較手段により両画像信号の一致が判定された場合、上記入力手段で入力した画像信号に代えて、上記記憶手段で記憶している画像信号に応じた光像を形成して投影することを特徴とする請求項１〜４いずれか記載の投影装置。
【請求項６】
上記判断手段は、上記計時手段での計時結果が予め設定した複数の時間値をそれぞれ超えたか否かを判断し、
上記投影制御手段は、上記判断手段での判断により、時間の経過に対応して上記光源の発光輝度を段階的に低下するように可変設定する
ことを特徴とする請求項１〜５いずれか記載の投影装置。
【請求項７】
画像信号を入力する入力部、発光輝度を可変可能な光源、及び上記光源からの光を用い、画像信号に応じた光像を形成して投影する投影部を備えた装置での投影方法であって、
上記入力部で入力した画像信号を記憶する記憶ステップと、
上記入力部で入力した画像信号と、上記記憶ステップで既に記憶した画像信号とを比較して両画像信号の一致または不一致を判定する比較ステップと、
上記比較ステップにより両画像信号の一致を判定した状態を計時する計時ステップと、
上記計時ステップでの計時結果が予め設定した時間値を超えたか否かを判断する判断ステップと、
上記判断ステップでの判断により上記光源の発光輝度を低下するように可変設定する投影制御ステップと
を有したことを特徴とする投影方法。
【請求項８】
画像信号を入力する入力部、発光輝度を可変可能な光源、及び上記光源からの光を用い、画像信号に応じた光像を形成して投影する投影部を備えた装置が内蔵したコンピュータが実行するプログラムであって、
当該プログラムを、
上記入力部で入力した画像信号を記憶する記憶手段、
上記入力部で入力した画像信号と、上記記憶手段で既に記憶した画像信号とを比較して両画像信号の一致または不一致を判定する比較手段、
上記比較手段により両画像信号の一致を判定した状態を計時する計時手段、
上記計時手段での計時結果が予め設定した時間値を超えたか否かを判断する判断手段、及び
上記判断手段での判断により上記光源の発光輝度を低下するように可変設定する投影制御手段
として機能させることを特徴とするプログラム。